(57)【要約】【課題】蓋体の開動作と閉動作との少なくとも一方を付勢力で駆動でき、設計の自由度を制約しない蓋体装置を提供する。【解決手段】蓋体付勢部材２の一端である固定端を蓋体１に固定し他端である係合端を収容構造体９に形成されているガイド部３に係合させて案内する。蓋体１の閉動作（または開動作）に伴って、蓋体付勢部材２を伸縮させて付勢力を蓄積する。蓄積された付勢力によって蓋体１の開動作（または閉動作）の少なくとも一部を駆動する。蓋体付勢部材２に蓄積された付勢力で蓋体１を駆動するため、蓋体装置を安価に製造できる。蓋体１の開閉方向を蓋体付勢部材２の伸縮方向と一致させなくても良いため、蓋体装置や収容構造体の設計の自由度が制約されない。【選択図】図１
2007126016.tif 000002
【特許請求の範囲】
【請求項１】
収容構造体の開口を開く開位置と該開口を閉じる閉位置との間を移動する蓋体と、該収容構造体に形成されている溝状のガイド部と、一端である固定端が該蓋体に固定されて該蓋体に保持されるとともに他端である係合端が該ガイド部に係合して案内され該蓋体の閉動作に伴って伸縮し付勢力を蓄積する蓋体付勢部材と、を備え、該付勢力により該蓋体の開動作の少なくとも一部を駆動する蓋体装置であって、
該係合端は、該ガイド部の溝底に当接するピン部と該ピン部を付勢して該溝底に圧接させるピン付勢部材とを持ち、
該ガイド部は、該蓋体が該閉位置に配置される際に該係合端が配置される閉端部と、該蓋体が該開位置に配置される際に該係合端が配置される開端部と、該閉端部と該開端部とを連絡し該係合端を案内して該蓋体付勢部材に該付勢力を蓄積させる第１ガイド部と、該閉端部と該開端部とを連絡し該係合端を案内して該蓋体付勢部材に蓄積した該付勢力を放出させる第２ガイド部と、を持ち、
該ガイド部の溝深さは、該開端部側に位置する該第１ガイド部と該第２ガイド部との境界部分で該第１ガイド部に向けて段差状に深くなるとともに、該第１ガイド部の該開端部側から該閉端部側に向けて徐々に浅くなることを特徴とする蓋体装置。
【請求項２】
前記蓋体は下端部が前記収容構造体に枢支され、前記付勢力と自重とで駆動されて前記閉位置から前記開位置までの間を回動する請求項１に記載の蓋体装置。
【請求項３】
収容構造体の開口を開く開位置と該開口を閉じる閉位置との間を移動する蓋体と、該収容構造体に形成されている溝状のガイド部と、一端である固定端が該蓋体に固定されて該蓋体に保持されるとともに他端である係合端が該ガイド部に係合して案内され該蓋体の開動作に伴って伸縮し付勢力を蓄積する蓋体付勢部材と、を備え、該付勢力により該蓋体の閉動作の少なくとも一部を駆動する蓋体装置であって、
該係合端は、該ガイド部の溝底に当接するピン部と該ピン部を付勢して該溝底に圧接させるピン付勢部材とを持ち、
該ガイド部は、該蓋体が該閉位置に配置される際に該係合端が配置される閉端部と、該蓋体が該開位置に配置される際に該係合端が配置される開端部と、該閉端部と該開端部とを連絡し該係合端を案内して該蓋体付勢部材に該付勢力を蓄積させる第１ガイド部と、該閉端部と該開端部とを連絡し該係合端を案内して該蓋体付勢部材に蓄積した該付勢力を放出させる第２ガイド部と、を持ち、
該ガイド部の溝深さは、該閉端部側に位置する該第１ガイド部と該第２ガイド部との境界部分で該第１ガイド部に向けて段差状に深くなるとともに、該第１ガイド部の該閉端部側から該開端部側に向けて徐々に浅くなることを特徴とする蓋体装置。
【発明の詳細な説明】
【技術分野】
【０００１】
本発明は、収容構造体の開口を開閉するための蓋体装置に関する。
【背景技術】
【０００２】
収容構造体の開口を開閉するための蓋体装置としては種々のものが知られているが、収容構造体の種類によっては蓋体の開閉操作がユーザーに負担を与える場合がある。例えば、車両用のグラブボックスは収容構造体の一種であり、狭い空間である車室内に配設される。従って、ユーザーは狭い空間で蓋体の開閉操作を行う必要があり、開閉操作を行い難い場合がある。このため、蓋体の開閉動作を自動的に駆動して蓋体を容易に開閉する蓋体装置が開発されている（例えば、特許文献１）。特許文献１に開示される蓋体装置では、先ず手動にて蓋体に開操作力または閉操作力を加えることでモータを始動し、しかる後にモータにより蓋体の開閉を駆動する。このような蓋体装置では、ユーザーの簡単な操作によって蓋体の開閉操作ができ、ユーザーに負担を与えることなく開閉操作をおこなうことができる。しかし、一方、モータは高価であるために、蓋体装置の製造コストが高くなる問題がある。
【０００３】
モータにかえてバネ等の蓋体付勢部材を用いて蓋体の開閉動作を駆動すれば、蓋体装置の製造コストを低減できると考えられる。例えば、バネの一端を蓋体に固定し、他端を収容構造体に固定するとともに、開操作や閉操作を行う際にバネを伸長あるいは圧縮させて付勢力を蓄積することで、蓄積された付勢力で蓋体の開閉を付勢することができる。この場合にはモータが不要になり、蓋体装置の製造コストが低減すると考えられる。しかし、このような蓋体装置では、蓋体の開閉方向がバネの伸長方向や圧縮方向に限られるために、蓋体の形状や収容構造体の形状、蓋体の開閉方向等、蓋体装置や収容構造体の設計の自由度が大きく制約される問題があった。
【特許文献１】特開平２−２６７０３８号公報
【発明の開示】
【発明が解決しようとする課題】
【０００４】
本発明は蓋体の開動作と閉動作との少なくとも一方を付勢力で駆動でき、設計の自由度を制約しない蓋体装置を提供することを目的とする。
【課題を解決するための手段】
【０００５】
上記課題を解決する第１発明の蓋体装置は、収容構造体の開口を開く開位置と開口を閉じる閉位置との間を移動する蓋体と、収容構造体に形成されている溝状のガイド部と、一端である固定端が蓋体に固定されて蓋体に保持されるとともに他端である係合端がガイド部に係合して案内され蓋体の閉動作に伴って伸縮し付勢力を蓄積する蓋体付勢部材と、を備え、付勢力により蓋体の開動作の少なくとも一部を駆動する蓋体装置であって、係合端は、ガイド部の溝底に当接するピン部とピン部を付勢して溝底に圧接させるピン付勢部材とを持ち、ガイド部は、蓋体が閉位置に配置される際に係合端が配置される閉端部と、蓋体が開位置に配置される際に係合端が配置される開端部と、閉端部と開端部とを連絡し係合端を案内して蓋体付勢部材に付勢力を蓄積させる第１ガイド部と、閉端部と開端部とを連絡し係合端を案内して蓋体付勢部材に蓄積した付勢力を放出させる第２ガイド部と、を持ち、ガイド部の溝深さは、開端部側に位置する第１ガイド部と第２ガイド部との境界部分で第１ガイド部に向けて段差状に深くなるとともに、第１ガイド部の開端部側から閉端部側に向けて徐々に浅くなることを特徴とする。
【０００６】
第１発明の蓋体装置は、下記の構成（１）を備えることが好ましい。
（１）上記蓋体は下端部が上記収容構造体に枢支され、上記付勢力と自重とで駆動されて上記閉位置から上記開位置までの間を回動し、上記第１ガイド部は、上記蓋体が上記開位置から上記閉位置に移動する際に上記係合端を案内する。
【０００７】
上記課題を解決する第２発明の蓋体装置は、収容構造体の開口を開く開位置と開口を閉じる閉位置との間を移動する蓋体と、収容構造体に形成されている溝状のガイド部と、一端である固定端が蓋体に固定されて蓋体に保持されるとともに他端である係合端がガイド部に係合して案内され蓋体の開動作に伴って伸縮し付勢力を蓄積する蓋体付勢部材と、を備え、付勢力により蓋体の閉動作の少なくとも一部を駆動する蓋体装置であって、係合端は、ガイド部の溝底に当接するピン部とピン部を付勢して溝底に圧接させるピン付勢部材とを持ち、ガイド部は、蓋体が閉位置に配置される際に係合端が配置される閉端部と、蓋体が開位置に配置される際に係合端が配置される開端部と、閉端部と開端部とを連絡し係合端を案内して蓋体付勢部材に付勢力を蓄積させる第１ガイド部と、閉端部と開端部とを連絡し係合端を案内して蓋体付勢部材に蓄積した付勢力を放出させる第２ガイド部と、を持ち、ガイド部の溝深さは、閉端部側に位置する第１ガイド部と第２ガイド部との境界部分で第１ガイド部に向けて段差状に深くなるとともに、第１ガイド部の閉端部側から開端部側に向けて徐々に浅くなることを特徴とする。
【発明の効果】
【０００８】
第１発明および第２発明の蓋体装置では、蓋体を閉動作（または開動作）させることで蓋体付勢部材に付勢力を蓄積する。そして蓄積された付勢力によって、蓋体の開動作（または閉動作）の少なくとも一部を駆動する。このように、予め蓄積された付勢力により蓋体の開動作や閉動作を駆動することで、モータ等を別途設けることなく蓋体を開閉動作させることができ、蓋体装置を安価に製造することができる。
【０００９】
また、第１発明および第２発明の蓋体装置では、蓋体付勢部材の一端である固定端が蓋体に固定されるとともに他端である係合端が収容構造体に形成されているガイド部に係合して案内される。そして、蓋体付勢部材が蓋体の閉動作（または開動作）に伴って伸縮し付勢力を蓄積する。このため、本発明の蓋体装置では、蓋体の開閉方向と交叉する方向に蓋体付勢部材を伸縮させることができる。換言すれば、蓋体の開閉方向を蓋体付勢部材の伸縮方向と一致させなくても良い。このため、蓋体装置や収容構造体の設計の自由度が制約されない。
【００１０】
また、第１発明および第２発明の蓋体装置では、ガイド部に、第１ガイド部と第２ガイド部とを設けている。第１ガイド部は係合端を案内して蓋体付勢部材に付勢力を蓄積させる。第２ガイド部は係合端を案内して蓋体付勢部材に蓄積した付勢力を放出させる。したがって、第１ガイド部および第２ガイド部の形状を適宜設定すれば、例えば、蓋体の開動作のみならず閉動作の一部をも蓋体付勢部材によって付勢できる。
【００１１】
ところで、第１発明の蓋体装置においては、第１ガイド部と第２ガイド部とは開端部と閉端部とで連絡しているため、蓋体が開動作から閉動作に切り替わる際には、第２ガイド部に案内された係合端が第１ガイド部に進入する。第１発明の蓋体装置において、ガイド部の溝深さは、開端部側に位置する第１ガイド部と第２ガイド部との境界部分で第１ガイド部に向けて段差状に深くなる。また、ガイド部に案内される係合端は、ピン部がピン付勢部材に付勢されてガイド部の溝底に圧接する。このため、一旦第１ガイド部に進入した係合端は、第２ガイド部に逆戻りしない。よって、蓋体の開閉動作が円滑になされる。
【００１２】
なお、例えば、ガイド部の溝深さが第２ガイド部の閉端部側から開端部側に向けて徐々に浅くなる場合には、係合端が第２ガイド部に案内されるとき（蓋体付勢部材に付勢されて蓋体が開動作するとき）に、ピン付勢部材の付勢力が蓄積される。このため、ピン付勢部材への付勢力の蓄積に比較的大きい力を要する場合には、蓋体の開動作がピン付勢部材に干渉されるおそれがある。本発明の蓋体装置では、ガイド部の溝深さは、第１ガイド部の開端部側から閉端部側に向けて徐々に浅くなっている。したがって、係合端が第１ガイド部に案内されるとき（蓋体を閉動作させるとともに蓋体付勢部材に付勢力を蓄積するとき）に、ピン付勢部材の付勢力が蓄積される。したがって、蓋体付勢部材に付勢された蓋体の開動作がピン付勢部材に干渉されることはなく、蓋体の開動作がより円滑になされる。
【００１３】
第２発明の蓋体装置においては、蓋体が閉動作から開動作に切り替わる際には、第２ガイド部に案内された係合端が第１ガイド部に進入する。第２発明の蓋体装置において、ガイド部の溝深さは、閉端部側に位置する第１ガイド部と第２ガイド部との境界部分で第１ガイド部に向けて段差状に深くなる。係合端の形状は第１発明の係合端と同じである。このため、第２発明の蓋体装置において、一旦第１ガイド部に進入した係合端は、第２ガイド部に逆戻りしない。よって、蓋体の開閉動作が円滑になされる。
【００１４】
また、第２発明の蓋体装置では、ガイド部の溝深さは、第１ガイド部の閉端部側から開端部側に向けて徐々に浅くなっている。したがって、係合端が第１ガイド部に案内されるとき（蓋体を開動作させるとともに蓋体付勢部材に付勢力を蓄積するとき）に、ピン付勢部材の付勢力が蓄積される。したがって、蓋体付勢部材に付勢された蓋体の閉動作がピン付勢部材に干渉されることはなく、蓋体の閉動作がより円滑になされる。
【００１５】
第１発明の蓋体装置が構成（１）を備える場合には、蓋体付勢部材の付勢力と蓋体の自重とによって蓋体の開動作が駆動される。このため、蓋体の開動作を確実に自動化できる。
【発明を実施するための最良の形態】
【００１６】
本発明の蓋体装置は、例えば、車両に配設されるグラブボックス等に代表される狭い空間で用いられる収容構造体の開口を開閉するための装置として好ましく用いられるが、これに限らず、種々の家具や家電製品からなる収容構造体の開口を開閉するための装置として用いることもできる。例えば、収容構造体が戸棚からなる場合には、戸棚の扉や引き出しが蓋体となる。さらに、例えば収容構造体が引き出しテーブルからなる場合には、テーブルの天板が蓋体となる。
【００１７】
本発明の蓋体装置において、蓋体は収容構造体に枢支され、収容構造体に対して回動して収容構造体の開口を開閉しても良い。或いは、蓋体は収容構造体に対してスライド可能に保持され、スライドして収容構造体の開口を開閉しても良い。その他の方法で収容構造体の開口を開閉しても良い。
【実施例】
【００１８】
以下、本発明の蓋体装置の例を図示し、図に基づいて本発明の蓋体装置を説明する。
【００１９】
（実施例１）
実施例１の蓋体装置は、車両の車室内に配設されるグラブボックスの一部を構成するものであり、前壁に開口を持つ箱状のグラブボックス本体からなる収容構造体の開口を開閉する。実施例１の蓋体装置は、第１発明の蓋体装置であり、上記構成（１）を備える。実施例１の蓋体装置を模式的に表す説明図を図１〜３に示す。詳しくは、実施例１の蓋体装置において、係合端が閉端部に配置され蓋体が閉位置に配置されている様子を模式的に表す説明図を図１に示す。実施例１の蓋体装置において、係合端が開端部に配置され蓋体が開位置に配置されている様子を模式的に表す説明図を図２に示す。実施例１の蓋体装置において、閉動作時に係合端が第１ガイド部に配置され蓋体が閉位置と開位置との間の位置に配置されている様子を模式的に表す説明図を図３に示す。実施例１の蓋体装置において、閉端部側に位置する第１ガイド部と第２ガイド部との境界部分を模式的に表す断面図を図４〜５に示す。以下、実施例１において上、下、前、後、とは図１に示す上、下、前、後を指す。
【００２０】
実施例１の蓋体装置は、蓋体１と、蓋体付勢部材２と、ガイド部３とを備えている。
【００２１】
蓋体１は下端に枢支部１０を持つ。枢支部１０は収容構造体９の下端に枢支されている。蓋体１は枢支部１０を中心に回動して図１に示す閉位置と図２に示す開位置との間を移動する。蓋体１は、図１に示す閉位置に配置されるときに開口９０を閉じ、図２に示す開位置に配置されるときに開口９０を開く。収容構造体９には、図示しないロック手段が取り付けられている。蓋体１にはロック手段と係合する凹状の鉤部１１が形成されている。蓋体１はロック手段と鉤部１１とが係合して閉位置にロックされる。ロック手段は蓋体１装置の外側に表出する操作部（図示せず）を持ち、操作部を押圧するとロックが解除される。蓋体１には、収容構造体９の側壁内面９１側（図１における手前側）に配されるとともに枢支部１０から後部上方に延びる脚部１２が設けられている。蓋体１は後述する蓋体付勢部材２の付勢力と自重とで駆動されて閉位置から開位置までの間を自動的に回動する。
【００２２】
蓋体付勢部材２は、コイルバネからなるバネ部２０と、バネ部２０の一端に取り付けられている連結部２１と、連結部２１に保持されているピン部２２と、ピン部２２をガイド部３の溝底に圧接させるピン付勢部材２６とを持つ。蓋体付勢部材２は、蓋体１の脚部１２に取り付けられている。蓋体付勢部材２は、中空の規制部材２３の内部に保持されている。
【００２３】
規制部材２３は長尺の箱状に形成され、側壁内面９１に対面した長尺面の一つが開口している。連結部２１は規制部材２３よりも短尺の枠状に形成されている。図４に示すように、連結部２１には行き止まり孔状のピン孔２５が形成されている。ピン孔２５は、側壁内面９１側、すなわち後述するガイド部３に開口する。ピン孔２５の内部にはピン付勢部材２６の一端が固着されている。ピン付勢部材２６の他端はピン部２２の一端に固着されている。ピン部２２の一端は、ピン孔２５の内部に保持されている。ピン部２２の他端は、ピン孔２５の開口から表出しガイド部３内に挿入されている。ピン部２２はピン付勢部材２６に付勢されてガイド部３の溝底に圧接しつつ係合し、ガイド部３上を移動できるようになっている。連結部２１は規制部材２３の内部に保持され、規制部材２３の内部を長手方向に移動する。バネ部２０は一端が連結部２１に固着され、他端である固定端２４が規制部材２３に固着されている。バネ部２０の伸縮する方向は、規制部材２３の長尺方向と一致する。実施例１の蓋体装置において、蓋体付勢部材２はバネ部２０が伸長して付勢力を蓄積し、伸長したバネ部２０が再度収縮して付勢力を放出する。実施例１の蓋体装置において、蓋体付勢部材の係合端は、ピン部２２と連結部２１とピン付勢部材２６とからなる。なお、規制部材２３は、蓋体１の脚部１２に固定されている。したがって、固定端２４は規制部材２３を介して蓋体１に固定されている。
【００２４】
固定端２４は、蓋体１の回動に伴って移動する。したがって、固定端２４が移動する軌跡Ａ（図中一点鎖線で示す。以下、軌跡Ａと略する）は枢支部１０を中心とした円弧を描く。
【００２５】
ガイド部３は溝状に形成されており、収容構造体９の側壁内面９１に形成されている。図１に示すように、ガイド部３は、前側下方の位置に開端部３０を持ち、後側上方の位置に閉端部３１を持つ。閉端部３１から軌跡Ａまでの最短距離は、開端部３０から軌跡Ａまでの最短距離よりも長い。閉端部３１と開端部３０とは第１ガイド部４０と第２ガイド部５０とで連絡されている。
【００２６】
第１ガイド部４０は初期ガイド部４１と後期ガイド部４２と変曲部４３とを持つ。初期ガイド部４１は開端部３０に連絡する。後期ガイド部４２は閉端部３１に連絡する。変曲部４３は初期ガイド部４１と後期ガイド部４２とを連絡する。変曲部４３は、第１ガイド部４０のなかで軌跡Ａまでの最短距離が最長となる部分である。初期ガイド部４１から軌跡Ａまでの最短距離は、開端部３０から変曲部４３に向けて徐々に長くなる。後期ガイド部４２から軌跡Ａまでの最短距離は、変曲部４３から閉端部３１に向けて徐々に短くなる。第２ガイド部５０から軌跡Ａまでの最短距離は、閉端部３１から開端部３０に向けて徐々に短くなる。
【００２７】
図１および４に示すように、ガイド部３の溝深さは、開端部３０側に位置する第１ガイド部４０と第２ガイド部５０との境界部分で、第１ガイド部４０に向けて段差状に深くなる。また、ガイド部３の溝深さは、第１ガイド部４０の開端部３０側から閉端部３１側に向けて徐々に浅くなっている。第２ガイド部５０の溝深さは一定である。
【００２８】
実施例１の蓋体装置は、以下のように動作する。
【００２９】
蓋体１が閉位置に配置された状態でロック手段の操作部を操作すると、蓋体１のロックが解除される。図１に示すように、蓋体１が閉位置に配置された状態では、蓋体付勢部材２のピン部２２（係合端）はガイド部３の閉端部３１に配置されている。このとき、蓋体付勢部材２のバネ部２０は伸長しており、蓋体付勢部材２には付勢力が蓄積されている。
【００３０】
第２ガイド部５０から軌跡Ａまでの最短距離は、閉端部３１から開端部３０に向けて徐々に短くなっている。一方、蓋体付勢部材２は伸長して付勢力を蓄積しているため、収縮して付勢力を放出しようとする。したがって、蓋体付勢部材２のピン部２２は、第２ガイド部５０上を蓋体付勢部材２が収縮する方向、すなわち、軌跡Ａまでの最短距離が短くなる方向にスライドする。よって、ピン部２２は閉端部３１から開端部３０に向けて移動し、蓋体付勢部材２に固定されている蓋体１もまた蓋体付勢部材２に引っ張られて開端部３０方向に移動する。したがって、蓋体１は閉位置から開位置に移動し、開動作する。
【００３１】
ここで、ガイド部３の溝深さは、開端部３０側に位置する第１ガイド部４０と第２ガイド部５０との境界部分で、第１ガイド部４０に向けて段差状に深くなる。また、ピン部２２はピン付勢部材２６に付勢されてガイド溝３に圧接している。このため、ピン部２２が第２ガイド部５０上をスライドし開端部３０側に到達し（図４）、次いで第１ガイド部４０内部に落ち込むと（図５）、第２ガイド部５０に逆戻りしない。
【００３２】
また、第２ガイド部５０の溝深さは一定であるため、ピン部２２が第２ガイド部５０に案内されるとき（蓋体付勢部材２に蓄積された付勢力によって蓋体１の開動作を駆動するとき）には、ピン付勢部材２６には付勢力が蓄積されず（ピン付勢部材２６は圧縮されず）、ピン付勢部材２６によって蓋体１の開動作が干渉されることはない。よって蓋体の開動作がより円滑になされる。
【００３３】
蓋体１が開位置に配置された状態（図２）から蓋体１を閉動作させるときには、先ず、蓋体１を閉位置に向けて手動で回動させる。このとき、蓋体１の閉動作に伴って、ピン部２２が初期ガイド部４１に進入する。初期ガイド部４１から軌跡Ａまでの最短距離は、開端部３０から変曲部４３に向けて徐々に長くなっているため、ピン部２２が初期ガイド部４１に案内されるときには、蓋体付勢部材２は伸長して付勢力が蓄積される。ピン部２２が変曲部４３に配置される位置（図３）にまで蓋体１が閉動作すると、蓋体付勢部材２の伸長量は最大になり、蓋体付勢部材２には大きな付勢力が蓄積される。変曲部４３に連絡する後期ガイド部４２の軌跡Ａまでの最短距離は、変曲部４３から閉端部３１に向けて徐々に短くなっている。したがって、ピン部２２が後期ガイド部４２に到達すると、ピン部２２は後期ガイド部４２上を蓋体付勢部材２が収縮する方向（蓋体付勢部材２の付勢力が放出される方向）にスライドする。すなわち、ピン部２２は閉端部３１に向けてスライドする。よって蓋体付勢部材２に固定されている蓋体１もまた蓋体付勢部材２に引っ張られて閉端部３１方向に移動する。したがって、蓋体１は開位置から閉位置に移動し、閉動作する。
【００３４】
なお、実施例１の蓋体装置では、第１ガイド部４０の溝深さは開端部３０側から閉端部３１側に向けて徐々に浅くなっている。詳しくは、後期ガイド部４２および変曲部４３の溝深さは第２ガイド部５０の溝深さと同じであり、初期ガイド部４１の溝深さは、開端部３０側から変曲部４３側に向けて徐々に浅くなっている。このため、ピン部２２が初期ガイド部４１に案内されるとき（蓋体１を手動で閉動作させるとともに蓋体付勢部材２に付勢力を蓄積するとき）に、ピン付勢部材２６が圧縮されて付勢力が蓄積される。
【００３５】
さらに、蓋体１が閉位置に配置されているときには、蓋体付勢部材２が伸長して付勢力が蓄積されている。この状態において、ピン部２２は蓋体付勢部材２がさらに伸長する方向に移動し難い。実施例１の蓋体装置では、閉端部３１に連絡する後期ガイド部４２から軌跡Ａまでの最短距離は、閉端部３１から変曲部４３に向けて徐々に長くなっている。このため、ピン部２２が閉端部３１から後期ガイド部４２に移動すると、蓋体付勢部材２はさらに伸長する。よって、閉端部３１に配置されているピン部２２は後期ガイド部４２側には移動せず、確実に第２ガイド部５０側に移動する。よって、蓋体１は確実に開動作する。
【００３６】
実施例１の蓋体装置では、蓋体１を閉動作させることで蓋体付勢部材２に付勢力を蓄積する。そして蓄積された付勢力と蓋体１の自重とによって、蓋体１の開動作を駆動する。よって、実施例１の蓋体装置では、モータ等を別途設けることなく蓋体１を開閉動作させることができ、安価に製造できる。
【００３７】
実施例１の蓋体装置では、蓋体付勢部材２の固定端２４が蓋体１に固定されるとともに係合端（ピン部２２、連結部２１、ピン付勢部材２６）がガイド部３に係合して案内される。そして、蓋体付勢部材２が蓋体１の閉動作に伴って伸長して付勢力を蓄積する。このため、実施例１の蓋体装置では、蓋体付勢部材２が伸縮する方向は蓋体１の開閉方向と交叉する方向になる。よって、実施例１の蓋体装置および実施例１の蓋体装置を配設する収容構造体の設計の自由度は制約されない。
【００３８】
実施例１の蓋体装置では、伸長して付勢力を蓄積し収縮して付勢力を放出する蓋体付勢部材２を用いているが、収縮して付勢力を蓄積し伸長して付勢力を放出する蓋体付勢部材を用いても良い。
【００３９】
実施例１の蓋体装置では、第１ガイド部４０に後期ガイド部４２を設けて、蓋体１の閉動作の一部を蓋体付勢部材２で付勢しているが、本発明の蓋体装置では、第１ガイド部４０を初期ガイド部４１のみで構成しても良い。また、実施例１の蓋体装置では、蓋体１の開動作全部を蓋体付勢部材２で付勢しているが、蓋体１の開動作の一部のみを蓋体付勢部材２で付勢しても良い。
【００４０】
（実施例２）
実施例２の蓋体装置は第２発明の蓋体装置である。実施例２の蓋体装置は、実施例１の蓋体装置と同様にグラブボックスの一部を構成する。実施例２の蓋体装置を模式的に表す説明図を図６〜８に示す。詳しくは、実施例２の蓋体装置において、係合端が閉端部に配置され蓋体が閉位置に配置されている様子を模式的に表す説明図を図６に示す。実施例２の蓋体装置において、係合端が開端部に配置され蓋体が開位置に配置されている様子を模式的に表す説明図を図８に示す。実施例２の蓋体装置において、開動作時に係合端が第１ガイド部に配置され蓋体が閉位置と開位置との間の位置に配置されている様子を模式的に表す説明図を図７に示す。以下、実施例２において上、下、前、後、とは図６に示す上、下、前、後を指す。
【００４１】
実施例２の蓋体装置は、蓋体１と、蓋体付勢部材２と、ガイド部３とを備えている。蓋体付勢部材２は実施例１の蓋体付勢部材２と同じである。実施例２の蓋体装置は、蓋体１を開位置でロックするロック手段（図略）を持つ。
【００４２】
蓋体１は下端に軸部１０を持つ。軸部１０は収容構造体９の下端に形成され前後方向に延びるガイドレール９２にスライド可能に保持されている。蓋体１は軸部１０がガイドレール９２上をスライドして、図６に示す閉位置と図８に示す開位置との間を移動する。また、固定端２４は、蓋体１のスライド移動に伴って移動する。したがって、実施例２の蓋体装置においては、固定端２４が移動する軌跡Ａは軸部１０が移動する軌跡と平行な直線を描く。
【００４３】
図６に示すように、ガイド部３は、前側上方の位置に開端部３０を持ち、後側下方の位置に閉端部３１を持つ。開端部３０から軌跡Ａまでの最短距離は、閉端部３１から軌跡Ａまでの最短距離よりも長い。閉端部３１と開端部３０とは第１ガイド部４０と第２ガイド部５０とで連絡されている。
【００４４】
第１ガイド部４０は初期ガイド部４１と後期ガイド部４２と変曲部４３とを持つ。初期ガイド部４１は閉端部３１に連絡する。後期ガイド部４２は開端部３０に連絡する。変曲部４３は初期ガイド部４１と後期ガイド部４２とを連絡する。変曲部４３は、第１ガイド部４０のなかで軌跡Ａまでの最短距離が最長となる部分である。初期ガイド部４１から軌跡Ａまでの最短距離は、閉端部３１から変曲部４３に向けて徐々に長くなる。後期ガイド部４２から軌跡Ａまでの最短距離は、変曲部４３から開端部３０に向けて徐々に短くなる。第２ガイド部５０から軌跡Ａまでの最短距離は、開端部３０から閉端部３１に向けて徐々に短くなる。
【００４５】
実施例２の蓋体装置においては、ガイド部３の溝深さは、閉端部３１側に位置する第１ガイド部４０と第２ガイド部５０との境界部分で、第１ガイド部４０に向けて段差状に深くなる。また、ガイド部３の溝深さは、第１ガイド部４０の閉端部３１側から開端部３０側に向けて徐々に浅くなっている。詳しくは、後期ガイド部４２および変曲部４３の溝深さは一定（第２ガイド部５０の溝深さと同じ）であり、初期ガイド部４１の溝深さは閉端部３１側から変曲部４３側に向けて徐々に浅くなっている。
【００４６】
実施例２の蓋体装置は、以下のように動作する。
【００４７】
図６に示すように、蓋体１が閉位置に配置された状態では、蓋体付勢部材２のピン部２２（係合端）はガイド部３の閉端部３１に配置されている。このとき、蓋体付勢部材２のバネ部は圧縮しており、蓋体付勢部材２の付勢力は放出されている。
【００４８】
したがって、蓋体１が閉位置に配置された状態（図６）から蓋体１を開動作させるときには、先ず、蓋体１を開位置に向けて手動でスライドさせる。このとき、蓋体１の開動作に伴って、ピン部２２が初期ガイド部４１に進入する。初期ガイド部４１から軌跡Ａまでの最短距離は、閉端部３１から変曲部４３に向けて徐々に長くなっているため、ピン部２２が初期ガイド部４１に案内されるときには、蓋体付勢部材２は伸長して付勢力が蓄積される。ピン部２２が変曲部４３に配置される位置（図７）にまで蓋体１が閉動作すると、蓋体付勢部材２の伸長量は最大になり、蓋体付勢部材２には大きな付勢力が蓄積される。変曲部４３に連絡する後期ガイド部４２の軌跡Ａまでの最短距離は、変曲部４３から開端部３０に向けて徐々に短くなっている。したがって、ピン部２２が後期ガイド部４２に到達すると、ピン部２２は後期ガイド部４２上を蓋体付勢部材２が収縮する方向（蓋体付勢部材２の付勢力が放出される方向）にスライドする。すなわち、ピン部２２は開端部３０に向けてスライドする。よって蓋体付勢部材２に固定されている蓋体１もまた蓋体付勢部材２に引っ張られて開端部３０方向に移動する。したがって、蓋体１は閉位置から開位置に移動し、開動作する（図８）。
【００４９】
実施例２の蓋体装置において、初期ガイド部４１の溝深さは、閉端部３１側から変曲部４３側に向けて徐々に浅くなっている。このため、ピン部２２が初期ガイド部４１に案内されるとき（蓋体１を手動で開動作させるとともに蓋体付勢部材２に付勢力を蓄積するとき）に、ピン付勢部材が圧縮されて付勢力が蓄積される。
【００５０】
蓋体１を開動作させる際には、ロック手段の操作部を操作すると、蓋体１のロックが解除される。図８に示すように、蓋体１が開位置に配置された状態では、蓋体付勢部材２のピン部２２（係合端）はガイド部３の開端部３０に配置されている。このとき、蓋体付勢部材２のバネ部は伸長しており、蓋体付勢部材２には付勢力が蓄積されている。
【００５１】
第２ガイド部５０から軌跡Ａまでの最短距離は、開端部３０から閉端部３１に向けて徐々に短くなっている。一方、蓋体付勢部材２は伸長して付勢力を蓄積しているため、収縮して付勢力を放出しようとする。このため、蓋体付勢部材２のピン部２２は、第２ガイド部５０上を閉端部３１に向けて移動し、蓋体１もまた蓋体付勢部材２に引っ張られて閉端部３０方向に移動する。したがって、蓋体１は開位置から閉位置に移動し、閉動作する。
【００５２】
実施例２の蓋体装置では、蓋体１を開動作させることで蓋体付勢部材２に付勢力を蓄積し、蓄積された付勢力によって蓋体１の閉動作を駆動する。よって、実施例２の蓋体装置は安価に製造できる。
【００５３】
また、実施例２の蓋体装置において、蓋体付勢部材２が伸縮する方向は、蓋体１の開閉方向と交叉する方向になる。よって、実施例２の蓋体装置および実施例２の蓋体装置を配設する収容構造体の設計の自由度は制約されない。
【００５４】
実施例２の蓋体装置では、ガイド部３の溝深さは、閉端部３１側に位置する第１ガイド部４０と第２ガイド部５０との境界部分で、第１ガイド部４０に向けて段差状に深くなる。このため、第１ガイド部４０内部に落ち込んだピン部２２は、第２ガイド部５０に逆戻りしない。
【００５５】
また、第２ガイド部５０の溝深さは一定であるため、ピン部２２が第２ガイド部５０に案内されるとき（蓋体付勢部材２に蓄積された付勢力によって蓋体１の閉動作を駆動するとき）には、ピン付勢部材には付勢力が蓄積されず、ピン付勢部材によって蓋体１の開動作が干渉されることはない。
【図面の簡単な説明】
【００５６】
【図１】実施例１の蓋体装置において、係合端が閉端部に配置され蓋体が閉位置に配置されている様子を模式的に表す説明図である。
【図２】実施例１の蓋体装置において、係合端が開端部に配置され蓋体が開位置に配置されている様子を模式的に表す説明図である。
【図３】実施例１の蓋体装置において、閉動作時に係合端が第１ガイド部に配置され蓋体が閉位置と開位置との間の位置に配置されている様子を模式的に表す説明図である。
【図４】実施例１の蓋体装置において、閉端部側に位置する第１ガイド部と第２ガイド部との境界部分を模式的に表す断面図である。
【図５】実施例１の蓋体装置において、閉端部側に位置する第１ガイド部と第２ガイド部との境界部分を模式的に表す断面図である。
【図６】実施例２の蓋体装置において、係合端が閉端部に配置され蓋体が閉位置に配置されている様子を模式的に表す説明図である。
【図７】実施例２の蓋体装置において、係合端が開端部に配置され蓋体が開位置に配置されている様子を模式的に表す説明図である。
【図８】実施例２の蓋体装置において、開動作時に係合端が第１ガイド部に配置され蓋体が閉位置と開位置との間の位置に配置されている様子を模式的に表す説明図である。
【符号の説明】
【００５７】
１：蓋体、２：蓋体付勢部材、３：ガイド部、３０：開端部、３１：閉端部、４０：第１ガイド部、５０：第２ガイド部
【図１】
2007126016.tif 000003
【図２】
2007126016.tif 000004
【図３】
2007126016.tif 000005
【図４】
2007126016.tif 000006
【図５】
2007126016.tif 000007
【図６】
2007126016.tif 000008
【図７】
2007126016.tif 000009
【図８】
2007126016.tif 000010